Podtech/llm-jp-corpus-v4-ja_patent huggingface dataset:
(57)【要約】【課題】インターネットを利用して株を取引（売買）したいが、パソコン等の機器がないため取引できない、また、機器はあるが実際にインターネットで取引するとなると操作方法が不安等の理由で自分自身では取引（利用）できない顧客のために同様なサービスを提供できるシステム。【解決手段】本発明の金融商品の代理店取引システムは、パソコン等を所有していない顧客（利用者）でも取引可能な通常のパソコン等を代理で利用させることで同様のサービスを提供できまた、パソコン等の操作が不安で実際に取引ができない利用者には代理で操作することでインターネット等での金融商品の取引が可能となるシステムである。【選択図】図１
2005141709.tif 000002
【特許請求の範囲】
【請求項１】
この発明は、インターネット・携帯電話等の情報端末を通じた金融機関（証券会社・銀行・保険会社・損保会社等）の株式・先物・指数オプション・債券・投資信託等の商品の取引（売買）を顧客（利用者）が行う際に、それらの金融機関が開発した取引システ厶や情報端末を所有しなくてもオンライン取引が行うことができるシステムである。インターネット・携帯電話を通じノート型ＰＣや携帯電話等の情報端末においてそれらを所有、共有しない顧客（利用者）向けに活用させるものであり、同じ情報機器を代理として活用・使用することでインターネット・携帯電話等の情報端末を所有しない顧客（利用者）にもオンラインでの金融商品の取引を可能とさせる方法（システム）である。
【請求項２】
もちろん金融商品の取引ばかりでなく、顧客自身の資産状況、取引経過、取引履歴、損益計算、注文状況やリアルタイムの株価情報等の商品状況もシステム開発の程度により、単に情報端末を代理として取扱うことにより全く同じ内容を顧客（利用者）に提供できるシステムである。
【請求項３】
また、本発明はＰＣや携帯電話等の情報端末を所有していなために利用できない顧客に限らず、所有していても実際にオンラインで取引を入力するには不安である等の理由のため操作・入力できない顧客（利用者）対しても、代理で操作・入力することで顧客（使用者）のニーズにこたえることができる方法（システム）である。
【発明の詳細な説明】
【技術分野】
【０００１】  本発明は、オンライン証券会社をはじめとした金融機関（証券会社・銀行・保険会社・損保会社等）が、株式・先物・指数オプション・債券・投資信託等の金融商品の取引を利用者に対して代理で取引させるシステムに関するものである。
【背景技術】
【０００２】  昨今インターネット人口の増加や通信ネットワークの技術の進歩に伴い、オンラインでの金融取引が増大し、多くのインターネット取引等のオンライン取引を実施する金融機関が登場している。【０００３】  これらのオンライン証券会社をはじめとする金融機関では、株式をはじめとした金融商品の取引をインターネット等を通じて提供し、それを利用することにより顧客（利用者）は直接取引きできるようになった。
【発明の開示】
【発明が解決しようとする課題】
【０００４】  そのような背景の中で、インターネット等を利用して金融商品を取引したいが、ツールがないためにインターネット等を利用しての取引は不可能の顧客がいるのが現状である。【０００５】  また、ツールは有りインターネット等を利用はしているが実際の金融取引となると操作方法等が不安である等の理由で実際の取引はすることができない顧客がいるのも現状である。
【課題を解決するための手段】
【０００６】  本発明は、オンライン証券会社をはじめとした金融機関（証券会社・銀行・保険会社・損保会社等）が、株式・先物・指数オプション・債券・投資信託等の金融商品の取引システムを通常の利用者と同様な環境でインターネット等を通じて配信される取引システムや顧客の資産状況や取引履歴、株価等の状況を単にノート型ＰＣや携帯電話等の端末機で受信してそれを再利用することで、その環境がない顧客（利用者）に代理で使用させ、ネットで取引している通常の顧客（利用者）と同じ環境で取引ができることが可能となる。
【発明の効果】
【０００７】  この発明により、インターネット等の環境を所持していない顧客（利用者）や環境を持っているが何らかの理由により取引にまで至らない顧客（利用者）に対して、インターネット等で取引されている顧客（利用者）と遜色のないサービスの提供が受けられるようになる。また、利用者（顧客）本人がインターネット等を使用できる環境を整える必要はないので費用もかからず、また金融商品の売買手数料もインターネット等の取引手数料の恩恵を受けることができる。
【発明を実施するための最良の形態】
【０００８】  本発明の実地状態について、オンライン証券会社における株式取引を例として、以下に画面を用いて説明する。
【産業上の利用可能性】
【０００９】  現在、インターネット等を利用したオンラインでの株式や先物・オプションなどの金融商品の取引は活発に行われており、今後もますます増大の傾向と予想されます。それに伴い、端末機器がない等の理由でその環境にない方（顧客等の利用者）、また環境はあるが実際の取引になると誤操作等の理由で不安のために実際は活用できない方も増大が予想されます。本発明によりこの問題は解消され、オンラインで取引されている方と同様なサービスの提供の恩恵に結びつけることができます。
【図面の簡単な説明】
【００１０】
【図１】本発明に係るオンライン証券会社をはじめとした金融機関が，インターネット等を通じて金融商品を顧客（利用者）に取引させていること示した平面図であり、ツールがないため、またはツールはあるが実際には取引できない顧客（利用者）のために代理で取引等の操作を実施していることを示した図である。
【符号の説明】
【００１１】  １証券会社等の金融機関のサーバー
２インターネット
３利用者（顧客）のパソコン等の機器
４利用者（顧客）の携帯電話等の機器
５ツールがないので取引できるパソコン等を利用して取引（操作）できる。
６ツールはあるが操作できないため、代理入力（操作）で取引できる。
【図１】
2005141709.tif 000003
(57)【要約】【課題】  増加する犯罪を抑止するためにインターネットを利用し、社会の責任を果たすべき手段と機能を提供する。【解決手段】  犯罪や捜索などの事例に賞金をつけ、個人などの犯罪性不安の支援要請には謝金をつけてホームページに開示し、犯罪情報誌を編集して定期的に発行するなどを特徴とするインターネットで見る犯罪を抑止する方法。【特許請求の範囲】
【請求項１】
重要犯罪や捜索案件などの事例には賞金をつけ、投書などによる犯罪性不安には、その要因に謝金を提示して、インターネットのホームページに開示して閲覧に供することを特徴とするホームページで見る犯罪を抑止する方法。
【請求項２】
犯罪事例を情報誌に編集して定期的に発行するを特徴とするホームページで見る犯罪を抑止する方法。
【発明の詳細な説明】
【技術分野】
【０００１】  本発明は、インターネットのホームページを利用して犯罪を抑止するために、社会の果たすべき手段と機能に関するものである。
【背景技術】
【０００２】（イ）犯罪の増加と検挙率の低下が更新され続けている。
（ロ）重要犯罪の検挙率が５０％未満である。
（ハ）社会は犯罪の抑止機能を果たしていない。
【発明の開示】
【発明が解決しようとする課題】
【０００３】（イ）犯罪は早期に解決しなければならない。
（ロ）国家は社会安全に対して投資を拡大すべきである。
（ハ）社会は犯罪に対して抑止力を集中しなければならない。
本発明は、以上の問題点を解決するためになされたものである。
【課題を解決するための手段】
【０００４】（イ）重要犯罪や捜索案件などの事例ごとに、賞金をつけてホームページに開示する。
（ロ）社会や個人の犯罪性不安の支援要請には、その要因に謝金を提示してホームページに開示する。
（ハ）犯罪性要因は社会に告知し速やかに排除する。
（ニ）懸賞金の設定には企業も参加する。
（ホ）犯罪情報を編集して定期的に発行する。
【発明の効果】
【０００５】    賞金は犯罪を抑止するための重要な手段である。社会は賞金に刺激され、不審に注意し警戒する環境が、犯罪を抑止する機能となるのである。
【発明を実施するための最良の形態】
【０００６】  以下、本発明の実施の形態を説明する。
（イ）殺人、強盗、テロなどの重要犯罪や手配者、失踪者などの捜索案件などの事例を全国の捜査機関から収集し、事例ごとに賞金をつけて発明者のホームページに開示し、指摘される事例で犯罪が解決した場合は、情報提供者に賞金を贈呈する。
（ロ）社会や個人が抱えている犯罪性不安を投書などで寄せられたときは、その要因に謝金を提示してホームページに開示し、社会の支援を求める。
（ハ）反社会的な情報を入手したときはホームページに告知し、被害の拡大を防ぐ。
（ニ）被害者側との疎通を図りながら懸賞金の設定には、行政や企業の参加を要請する。
（ホ）犯罪を風化させてはならない。犯罪事例を情報誌に編集して発行する。
（ヘ）本発明者のホームページの人格は公序良俗を理念として、情報の取り扱いには慎重を期さねばならない。
（ト）本発明者のホームページを利用するには原則として有料である。
本発明は以上の構成よりなつている。
(57)【要約】【課題】  本発明は容易に携帯でき、安全かつスピーディに、音と煙にて警告する、防犯信号発煙筒を提供する。【解決手段】本体ケース（１）に発煙薬剤（８）を詰め、警笛ノズル始煙キャップ（３）にて蓋をし、プッシュボタン（６）を差し込み、ピン引き抜きナット（５）とアイボルト（７）にて本体キャップ（２）を挟み固定し、本体ケース（１）に、はめ込み、さらにアイボルト（７）のリング部に、キーホルダー及びネックレスなどを装着する構成から成る事を特長とする。【選択図】  図１
2005141707.tif 000002
【特許請求の範囲】
【請求項１】
本体ケース（１）に発煙薬剤（８）を詰め、警笛ノズル始煙キャップ（３）にて蓋をし、プッシュボタン（６）を差し込み、ピン引き抜きナット（５）とアイボルト（７）にて本体キャップ（２）を挟み固定し、本体ケース（１）にはめ込み、さらにアイボルト（７）のリング部に、キーホルダー及びネックレスなどを装着する構成から成る防犯信号発煙筒。
【発明の詳細な説明】
【発明の詳細な説明】
【技術分野】
【０００１】本発明は防犯用具に関する物である。
【背景技術】
【０００２】従来携帯する防犯ベルなどは音で知らせるだけであった。
【発明が解決しようとする課題】
【０００３】近年、子供や女性が犯罪にあう危険性が大変増え、防犯ベルなどを携帯することが増えてはいるが、騒音の有る場所などでは気ずきにくく、海山での遭難、車での拉致においては無力に等しく、不十分であるので本発明により耳だけで無く目においても緊急危険信号を知らせる事を目的として成された物である。
【課題を解決するための手段】
【０００４】本体ケース（１）に発煙薬剤（８）を詰めて、警笛ノズル始煙キャップ（３）をねじ込み蓋をして、上部左右に有るホールにプッシュボタン（６）をそれぞれ差し込み取り付けておき、ピン引き抜きナット（５）とアイボルト（７）にて本体キャップ（２）を挟んで締め付け固定した物の爪部を合わせドッキングさせ、カプセル状にし、頭部に有るアイボルト（７）のリング部に、キーホルダーや紐及チェーンなどのネックレスなどを装着する。以上の様な構成より成る防犯信号発煙筒である。
【発明を実施するための最良の形態】
【０００５】本発明品を首に下げたりバックなどに携帯し、プッシュボタン（６）を押し上部の本体キャップ（２）より引き抜く事で警笛ノズル始煙キャップ（３）を可動させ発煙警笛させる事が出来る。
【実施例】
【０００６】本発明の実施例について説明する。
本体ケース（１）は薬室で在る為、簡単に薬剤が漏れ出さない強固な材質が好ましく、気体、液体の発煙薬剤を入れる場合は、パッキンナット（１０）とバルブ（９）を設ける事でなせる。【０００７】そして発煙薬剤（８）を詰め、警笛ノズル始煙キャップ（３）をねじ込みや圧入シールし蓋をするが、当然、気体、液体の場合、先に蓋をしておく必要がある。【０００７】この警笛ノズル始煙キャップ（３）は笛状の吹き出し口を持ち、警笛を鳴らし、始煙点火させるスイッチ部でもあり、摩擦式や電池、電子などの電気着火も容易に組み込め、電源を備える事により、従来からあるブザーの併用もでき、又、容積を増し水タンクにする事により水性薬剤も使用出来る。【０００８】ここにおいては、最も一般的な摩擦による着火、即ちマッチを擦る事と同じ方法で説明を進める。【０００９】その警笛ノズル始煙キャップ（３）の中心部に着火ピン（４）を備え着火剤を塗布をし、本体ケース（１）にねじ込み及び圧入シールにて密閉し、さらに本体ケース（１）上部左右にあるホールにロック解除用のプッシュボタン（６）をそれぞれ差し込み取り付けておく。【００１０】そして本体キャップ（２）を挟み込む様に、ピン引き抜きナット（５）を内側に、アイボルト（７）を外側よりねじ込み固定し、下部にあるカギ爪を本体ケース（１）の最上部のホールに合わせドッキングさせカプセル状にする。その時に本体キャップ（２）の内部にあるピン引き抜きナット（５）と本体ケース（１）側の着火ピン（４）上部のくさび部が連結し、プッシュボタン（６）を押し分離する際、本体キャップ（２）側に引かれ、マッチを擦った様に着火する事が出来る。【００１１】上記構成により、カプセル形状の本体を分離する事で目的を可能にするが、上部にあるアイボルト（７）のリング部にキーホルダー及び紐、チェーンなどのネックレスを取り付ける事により片手で簡単に目的を可能にし、携帯する事が出来る防犯信号発煙筒である。
【発明の効果】
【００１２】本発明の防犯信号発煙筒を携帯する事により、周囲に警笛、発煙にて知らせる。すなわち危険、緊急をワンタッチにスピーディに知らせる事が出来る。簡単な操作で行なわれるので、子供から女性や高齢者まで使用出来るので、通勤、通学や海、山のレジャーなどの遭難に備え幅広く携帯でき、多発して来ている車での拉致においても、車内で発煙する事で視界を妨げ、運転の継続を阻止し、周囲に異常を知らせる事が出来る。この効果により、車の盗難装置と連動させ、盗難防止にも役立たせる事も可能で有るので、かなりの需要が見込まれ、広く普及すると思われる。
【図面の簡単な説明】
【図１】本発明の分解断面図である。
【図２】本発明のバルブ装着時の分解断面図である。
【図３】本発明の使用例を示した図である。
【符号の説明】
１    本体ケース
２    本体キャップ
３    警笛ノズル始煙キャップ
４    着火ピン
５    ピン引き抜きナット
６    プッシュボタン
７    アイボルト
８    発煙薬剤
９    バルブ
１０  パッキンナット
【図１】
2005141707.tif 000003
【図２】
2005141707.tif 000004
【図３】
2005141707.tif 000005
(57)【要約】【課題】  従来のスピードコントローラーでは、インライン制御とアウトライン制御では異機種なので、不具合が生じたとき機種変更をしなければならなかった。【解決手段】  従来のスピードコントローラーのホース取り付け口をワンタッチ継手からネジ部にかえ、ホース取り付け用のワンタッチ継手の反対側を雌ネジ部に加工したものを継手アダプターとして作り、自由に取り付け、取り外しができるようにし、インライン制御とアウトライン制御を使い分けることができるようにする。【選択図】図１
2005141350.tif 000002
【特許請求の範囲】
【請求項１】
スピードコントローラーのインライン制御、アウトライン制御をシリンダロッドの動作に応じて機種を変え、使い分けていたものをリバーシブル出来るアタッチメント方式にすることによって、本来は一方向制御にしか使えないものをリバースブルに使うことができる。
【発明の詳細な説明】
【技術分野】
【０００１】
本発明は、空気圧用スピードコントローラーに関する。
【背景技術】
【０００２】
シリンダロッドのスピード制御をする際にインライン制御あるいは、アウトライン制御をあらかじめ決めてから機種設定する。実際に動作させて不具合が生じると機種変更となる。
【発明の開示】
【発明が解決しようとする課題】
【０００３】
従来の技術は、シリンダロッドのスピード制御がインライン制御の場合とアウトライン制御の場合では、それぞれ異機種であり、機種選定が困難な場合がある。また、ロッドの動きを確認してから入側と出側の制御入れ替えが機種変更をしなくては出来なかった。
【０００４】
本発明は、上記の手間を軽減し、１つのスピードコントローラーを入側制御と出側制御で使い分けが出来て、動きに応じた機種変更を必要としないことをその課題とする。
【課題を解決するための手段】
【０００５】
本発明は、従来のスピードコントローラーのホース取り付け口側をワンタッチ継手からねじ部に変え、両側ともシリンダへ取り付け可能な構造にする。ホース取り付け用ワンタッチ継手の反対側を雌ネジ部に加工したものを継手アダプター部品として作る。この継手アダプター部品をスピードコントローラーのどちら側に取り付けるかで、インライン制御とアウトライン制御を使い分けることが出来る。
【発明の効果】
【０００６】
上述したように、継手アダプター部品をスピードコントローラーのどちら側に取り付けるかで、インライン制御とアウトライン制御を使い分けることが出来る。
【発明を実施するための最良の形態】
【０００７】
以下、図面によって本発明の実態の形態について説明する。
【０００８】
図１は，例としてアウトライン制御用スピードコントローラーを示す。本来ねじ部１には、ホース取付け口ワンタッチ継手が付いているが本発明は、ネジ部となっている。
【０００９】
図１、空気の流れ３は、ネジ部１側から入りネジ部２側へ同じ流量出ていき、空気の流れ４は、ネジ部２側から入りネジ部１側へ空気量が調整されて出ている。
つまみ５は空気の流れ４の出ていく空気量を調整するものである。
【００１０】
図２は、継手アダプター部品を示し、ホース取付け部反対側は雌ネジ部となっており、図１のネジ部１、２に取り付け可能となり、インライン制御、アウトライン制御の使い分けができる。
【図面の簡単な説明】
【００１１】
【図１】スピードコントローラー本体の図
【図２】ホース取り付け用ワンタッチ継手アダプターの図
【符号の説明】
【００１２】
１  ネジ部
２  ネジ部
３  空気の流れ
４  空気の流れ
５  つまみ
【図１】
2005141350.tif 000003
【図２】
2005141350.tif 000004
(57)【要約】【課題】  複雑な構成を取ることなく異物の侵入を防ぎ、より良好な画像品質を得ることができる書込光学装置を提供する。【解決手段】  光学ハウジング１底部の開口部４を塞ぐための防塵部材５を設けた書込光学装置。【選択図】        図２
2005266242.tif 000002
【特許請求の範囲】
【請求項１】
光学ハウジング底部の開口部を塞ぐための防塵部材を設けたことを特徴とする書込光学装置。
【請求項２】
防塵部材の材質として、光学ハウジングの材質よりも比重の高い材質を用いることを特徴とする請求項１記載の書込光学装置。
【請求項３】
防塵部材の材質として、光学ハウジングの材質よりも熱伝導率の高い材質を用いることを特徴とする請求項１記載の書込光学装置。
【請求項４】
防塵部材をダイナミックバランサ構成としたことを特徴とする請求項１記載の書込光学装置。
【請求項５】
請求項１、２、３又は４に記載の書込光学装置が組み込まれたことを特徴とする画像形成装置。
【発明の詳細な説明】
【技術分野】
【０００１】
本発明は、書込光学装置及びその書込光学装置が組み込まれた画像形成装置に関する。
【背景技術】
【０００２】
書込光学装置のハウジングは内部に様々な部品を搭載するので、金型構造上及び機能上、開口部が設けられることになるが、ハウジングの開口部からの異物（ほこり、紙粉飛散トナーなど）の侵入を防止する必要がある。例えば、特許文献１には、光学箱内部を加圧（高圧化）することによって、光学箱の開口部から異物が侵入してくるのを阻止し、光学部品に異物が付着するのを防止する技術が提案されている。
【特許文献１】特開２０００−２２９４５９公報
【発明の開示】
【発明が解決しようとする課題】
【０００３】
特開２０００−２２９４５９公報のように、ファンを設けてハウジング内部を高圧にし、ハウジング内部→外部の気流を作り上げることによって、ハウジング開口部からの異物の侵入に対抗することも可能であるが、ファンからの気流にすでに異物が混じっていたりするため期待通りの効果が上がらないことが多い。
本発明は、複雑な構成を取ることなく異物の侵入を防ぎ、より良好な画像品質を得ることができる書込光学装置及び画像形成装置を提供することを目的とする。
【課題を解決するための手段】
【０００４】
上記目的を達成するために、請求項１記載の発明は、光学ハウジング底部の開口部を塞ぐための防塵部材を設けた書込光学装置を最も主要な特徴とする。
請求項２記載の発明は、防塵部材の材質として、光学ハウジングの材質よりも比重の高い材質を用いる請求項１記載の書込光学装置を主要な特徴とする。
請求項３記載の発明は、防塵部材の材質として、光学ハウジングの材質よりも熱伝導率の高い材質を用いる請求項１記載の書込光学装置を主要な特徴とする。
請求項４記載の発明は、防塵部材をダイナミックバランサ構成とした請求項１記載の書込光学装置を主要な特徴とする。
請求項５記載の発明は、請求項１、２、３又は４に記載の書込光学装置が組み込まれた画像形成装置を最も主要な特徴とする。
【発明の効果】
【０００５】
本発明は、光学ハウジング底部の開口部を塞ぐための防塵部材を設けただけの簡単な構成で、光学ハウジング内部に異物が侵入し光学部品に付着して異常画像が形成されてしまうのを防止することができる。
また、防塵部材の材質として、光学ハウジングの材質よりも比重の高い材質を用いるため、ハウジングの固有振動数を引き上げることができ、対振動性能を上げることができる。
また、防塵部材の材質として、光学ハウジングの材質よりも熱伝導率の高い材質を用いるため、光学ハウジングの内部の熱を逃し、光学ハウジング内部の温度を低減することができる。
また、防塵部材をダイナミックバランサ構成としたため、光学ハウジングの振動をより効率よく低減することができる。
【発明を実施するための最良の形態】
【０００６】
以下、本発明の実施の形態を図面に従って説明する。
図１は書込光学装置の基本構成図である。光学ハウジング１の底面には、金型構造上、あるいはミラー２の取付け基準面の確保のため、ミラー２を押圧保持している板バネ３の取付け部構造のためなどにより開口部４が形成されている。
図２は本発明の第１の実施形態に係る書込光学装置の構成図である。樹脂部材で構成される光学ハウジングの開口部４から異物が侵入してミラー２を含む光学部品に付着して異常画像が発生しないように、開口部４を塞ぐ防塵部材５が設けられる。
防塵部材５としてマイラーのような薄い部材を用い、これを開口部４の周囲に両面テープで貼り付けるだけでもよいが、その場合、開口部４の面積が広い場合や数が多い場合には光学ハウジングの剛性が不足し、耐振性が大きく低下してしまう。
防塵部材５として、光学ハウジング１よりも比重の大きい鉄製の部品を使用することで、開口部４を塞ぐとともに剛性の低下を防止し、光学ハウジング１の持つ固有振動数を上げ、耐震性の向上を図ることが可能となる。また、樹脂部材である光学ハウジング１は熱伝導性が悪いため内部温度が逃げにくく、熱がこもってしまう欠点があるが、熱伝導性の良い鉄製の防塵部材５を用いることで内部の温度を低下させることが可能となる。
図３は本発明の第２の実施形態に係る書込光学装置の構成図である。光学ハウジング１底面の開口部４を塞ぐ防塵部材５は、板状の振動体６と重り部材７とからなるダイナミックバランサの構成を取っている。
ダイナミックバランサ構成の防塵部材５は、両面テープ、その他の粘着材によって光学ハウジング１に貼り付けられている。ダイナミックバランサ構成の防塵部材５は、振動体６が発泡部材で構成され、防塵フィルタの役目も担っており、開口部４からの異物の侵入を防いでいる。ダイナミックバランサの構成を取ることにより、防塵部材５が光学ハウジング１の振動エネルギを消費し、光学ハウジング１の振動を低減する。
【図面の簡単な説明】
【０００７】
【図１】書込光学装置の基本構成図。
【図２】本発明の第１の実施形態に係る書込光学装置の構成図。
【図３】本発明の第２の実施形態に係る書込光学装置の構成図。
【符号の説明】
【０００８】
１  光学ハウジング
２  ミラー
３  板バネ
４  開口部
５  防塵部材
【図１】
2005266242.tif 000003
【図２】
2005266242.tif 000004
【図３】
2005266242.tif 000005
(57)【要約】【課題】従来の歯科用光照射器のライトガイドの形状は、光照射器本体より、一定の形状で光を導くものである。このため、患者に負担を強いると共に、光照射部位によってはライトガイドを口腔内の患部まで導入することが不可能であり、光硬化型材料による治療に限界を与えていた。【解決手段】光透過性が高くかつ柔軟なガラス系光ファイバーを複数本バンドルすることにより、自由に曲げることができることを特徴とする歯科用光照射器のライトガイドである。また、ライトガイド先端部に保持部を設けることにより、自由に曲げることができるライトガイドの操作性を高めたことを特徴とする、歯科用光照射器のライトガイドである。【選択図】図１
2005266734.tif 000002
【特許請求の範囲】
【請求項１】
柔軟なガラス系光ファイバーを緊密にバンドルすることにより十分な光透過性を有した、自由に曲げることができることを特徴とする歯科用光照射器のライトガイド本体。
【請求項２】
前記ライトガイド本体の操作性を向上させるために、本体先端部に、保持部があることを特徴とする請求１記載の歯科用光照射器のライトガイド本体。
【発明の詳細な説明】
【技術分野】
【０００１】  この発明は、光硬化型歯科材料を重合硬化させる際に使用する、歯科用光照射器のライトガイドに関する。
【技術背景】
【０００２】  従来の歯科用光照射器のライトガイドの形状は、図２に示すように、光照射器本体より一定の形状で術野に光を導くものである。以上の技術によれば、ライトガイドの形状が一定であることにより、照射部位によって、また、女性や小児にとっては、数十秒間にわたり大きく口を開いておく必要があり、負担となる。さらに、ライトガイドの形状が一定であるため、光を照射できる部位に限界があるため、治療における有力な選択肢のひとつである光硬化型歯科材料の使用が不可能となる場合がある。
【発明の開示】
【本発明が解決しようとする課題】
【０００３】  従来の技術を使用することは、歯科治療時の患者に対するストレス低減、および最小限の侵襲による虫歯治療という観点において、大きな障害となっている。本発明は、こうした問題点を指摘する多くの歯科医師の強い要望にこたえるために発明されたものである。
【課題を解決するための手段】
【０００４】  以上の課題を解決するために、第一発明は、光透過性が高くかつ柔軟なガラス系光ファイバーを複数本バンドルすることにより、自由に曲げることができることを特徴とする歯科用光照射器のライトガイドである。また、第二発明は、請求項１記載のライトガイド先端部に保持部を設けることにより、自由に曲げることができるライトガイドの操作性を高めたことを特徴とする、歯科用光照射器のライトガイドである。
【発明の効果】
【０００５】  本発明は、歯科用光照射器のライトガイドに曲げることができる特徴を設けたので、患者に対する負担が軽減すると共に、先端部に保持部を設けたことにより、操作性が向上し、口腔内のすべての部位に容易に光を照射することができる。本発明の利用方法としては、光硬化型歯科材料の重合のため、のみに留まらず、齲蝕検診、歯冠色修復材の余剰充填部位の特定等、が挙げられる。
【発明を実施するための最良の形態】
【０００６】  光ファイバー１本あたりの直径が細くなればなるほど、本ライトガイドの柔軟性は向上する。また、歯科用光照射器との接続部には熱が発生するため、ガラス系光ファイバーを使用することにより耐久性の向上を図った。
【実施例１】
【０００７】その構成を説明すると、
（イ）歯科用光照射器側に光照射器とライトガイドの接続部（２）を設ける。
（ロ）歯科用光照射器より発せられた光を、ライトガイド本体（１）の内部におさめられている光ファイバーを通し、光照射部（４）に導光する。
（ハ）術者が、本ライトガイドを操作しやすくするために、保持部（３）を設けた。
ライトガイドの本体１は、ガラス系光ファイバーを内包するフレキシブルチューブに覆われており、この本体１の光照射器側先端には、光照射器との接続部２が一体的に設けられている。その反対側には、本ライトガイドの保持を容易にするために、保持部３が本体と一体に設けてあり、その先に光照射部４が存在する。【０００８】  この実施形態によれば、歯科治療において光硬化型材料を使用する上で、患者にストレスを与えることなく、口腔内にスムーズにライトガイドを導入することができ、かつ操作性が良い。また、従来のライトガイドでは、その形状により光照射が行えず、光硬化型材料の使用が適応できなかった部位に対しても、本ライトガイドを用いることで適応できる。また、従来のライトガイドにおいては、ある程度の強度をライトガイドに持たせるために太さが必要であったが、本発明は、ライトガイドの直径を細くできるため、従来のように術野をライトガイドによって妨げられることなく、目視の上で術野に光照射することが可能である。【０００９】  図１の実施形態では、保持部を円形としているが、他の実施形態では、本形態にとらわれないものでも良い。同様に光照射部先端の形状や本体の長さや太さは、図１以外の形態でも良い。
また、通常の歯科用光照射器とライトガイドは別体として構成されるが、本発明と同様の特徴を有したライトガイドと歯科用光照射器を一体として構成することも可能である。
【産業上の利用可能性】
【００１０】  本発明の利用方法としては、光硬化型歯科材料を重合させるための利用、のみに留まらず、齲蝕検診、歯冠色修復材の余剰充填部位の特定等、が挙げられる。
【図面の簡単な説明】
【図１】この発明の一実施形態を示す斜視図である（実施例１）
【図２】従来技術の典型例を示す斜視図である。
【符号の説明】
１  ライトガイド本体            ２  光照射器との接続部
３  保持部                      ４  光照射部
【図１】
2005266734.tif 000003
【図２】
2005266734.tif 000004
(57)【要約】【課題】  空中に浮遊しつつ、自己発光する道具であることにより、簡単に設置、移動が可能な照明装置であり、表示・宣伝用媒体であり、人々の創造性、趣味性を発揮できる素材となるものを提供する。【解決手段】  比重の軽い気体等を内部に入れることにより浮力を得た浮遊体の外部に発光体、電源、気体量変更装置、発光パターンの制御装置、電源切替え装置、固定装置、接続装置等（いずれの装置も遠隔操作・手動操作どちらかを必ず利用可能とする）を付属させることにより、空中に浮遊することを特徴とする発光装置。【選択図】  図３
2005266724.tif 000002
【特許請求の範囲】
【請求項１】
比重の軽い気体等を内部に入れることにより浮力を得た浮遊体の外部に発光体・電源等を付属させることにより、空中に浮遊することを特徴とする発光装置。
【発明の詳細な説明】
【技術分野】
【０００１】  本発明は比重の軽い気体等を内部に入れることにより浮力を得た浮遊体の外部に発光体・電源等を付属させることにより、空中に浮遊することを特徴とする発光装置に関する。
【背景技術】
【０００２】
【発明の開示】
【発明が解決しようとする課題】
【０００３】  従来存在する発光装置では照明等が、浮遊する存在としては表示・宣伝用媒体等が考えられるが、そのいずれにおいても空中に浮遊しつつ、自己発光するものは存在しなかった。  従来の照明であれば配線や発光装置を高所に設置する必要があった。  表示・宣伝用媒体としては空中に浮遊するものは風船、アドバルーン等が存在したが、恒常的に発光するものは従来存在しなかった。  人々の創造性、趣味性を発揮できる素材として空中に浮遊し、自己発光するものは従来存在しなかった。
【課題を解決するための手段】
【０００４】  比重の軽い気体等を内部に入れることにより浮力を得た浮遊体の外部に発光体、電源、気体量変更装置、発光パターンの制御装置、電源切替え装置、固定装置、接続装置等（いずれの装置も遠隔操作・手動操作どちらかを必ず利用可能とする）を付属させることにより、空中に浮遊することを特徴とする発光装置とする。  本発明は以上の構成よりなる。
【発明の効果】
【０００５】  本発明の利用において、光源として利用する場合には、自由に移動可能であり、配線や照明装置自体を高所に設置する必要なく、高所からの光源を得ることができる。（ただし、大型、室内専用、長時間連続使用を目的とする装置である場合、外部電源を利用するための電源コードを有した形態も考えられる。）  表示・宣伝用媒体として利用する場合には、恒常的に空中に浮遊し発光することにより、昼夜を問わず表示・宣伝を続けることが可能である。（なお、風船のように多数の配布を目的とする小型の装置の場合、比重の軽い気体が徐々に減少するような材質または気体量変更装置を使用することも考えられる。）  人々の創造性、趣味性を発揮できる素材として利用する場合には、空中に浮遊しつつ自己発光するものは従来存在しなかったが、本発明を利用することで新たな表現形態、発想そのものや、それに基づく作品が発表されることも考えられる。（しかも表現や用途に応じて本発明品の形態や浮遊高度・速度、色彩その他あらゆる面で自由なものをデザインすることが可能である。）
【発明を実施するための最良の形態】
【０００６】  以下、本発明の実施の形態を説明する。  本発明は基本的に発光体（１）太陽電池・発光制御装置等（２）発光体・浮遊体（気嚢）・太陽電池等の接続装置（３）固定装置・手動式電源切替え装置等（４）浮遊体（気嚢）（５）電源・発光制御装置・おもり等（６）により構成される。これら以外にも回転式発光体収納装置（７）他を付属することにより様々な表現・表示方法を取ることができる。  浮遊体（５）の浮力により装置を浮遊させるための浮力を確保する。  浮遊体（５）の上部に太陽電池・発光制御装置等（２）、下部に電源・発光制御装置・おもり等（６）を配置し、そしてそれらの周囲を発光体（１）及び発光体・浮遊体（気嚢）・太陽電池等の接続装置（３）で囲む。［この場合、発光制御装置は重量や大きさ、操作方法の違いにより設置場所が変化するものとする］  発光体・気嚢・太陽電池等の接続装置（３）の一部分、最低二箇所以上に固定装置・手動式電源切替え装置等（４）を設置し、それぞれが地上等での設置点と固定装置により繋がることにより、浮遊している装置の空中における安定を確保する。  空中に固定された状態となった本発明の発光体（１）から発光をすることにより、周囲への照明効果、周囲の人々への情報・表現等の伝達を行うことができる。  本発明は以上の構造、及び利用方法により  空中に浮遊しつつ、簡単に設置、移動が可能な照明装置となり、表示・宣伝用媒体となり、人々の創造性、趣味性を発揮できる素材となることができる。
【実施例】
【０００７】  他の実施例としては、主に形態の変化となるはずである。  まず〔図４〕のように発光体を縦に展開した場合には、縦に展開された部分の発光体が柔軟な素材であった場合は回転式発光体収納装置そのものに巻き付ける形で収納することになる。そして、縦に展開された部分の発光体が硬質の素材であった場合には回転式発光体収納装置を利用して、装置の上面に載せる形で収納することになる。  次に形態が図面として明示されていない場合であるが、これは発光体が柔軟な素材の場合は、発光体の形態自体が鳥や翼竜、鯨等水棲哺乳類、魚類、地上の生物に限らず、神話や伝承に登場する空想上の生物や飛行機、車輌に人物等あらゆる形に似せることができる。  そして発光体が硬質の素材の場合には、発光体に表示する形態が生物や乗り物に限らず、あらゆる形に似せることになるであろう。
【産業上の利用可能性】
【０００８】  本発明は空中に浮遊する照明に限らず、空中に浮遊する表示、宣伝、芸術性を発揮する素材として利用することができる。  個人で持ち運びが可能であり、さらに腰部に固定する等の手法により両手が使用可能な状態で常時使用が可能である、高所からの照明装置として利用が可能である。
【図面の簡単な説明】
【０００９】
【図１】本発明の分解斜視図
【図２】本発明の斜視図
【図３】本発明の異なる形態の一例における斜視図
【図４】本発明の異なる形態の一例における斜視図
【符号の説明】
【００１０】１  発光体                                ２  太陽電池・発光制御装置等３  発光体・気嚢・太陽電池等の接続装置    ４  固定装置・手動式電源切替え装置等５  浮遊体（気嚢）                        ６  電源・発光制御装置・おもり等７  回転式発光体収納装置
【図１】
2005266724.tif 000003
【図２】
2005266724.tif 000004
【図３】
2005266724.tif 000005
【図４】
2005266724.tif 000006
(57)【要約】【課題】屋外広告として立て看板は、静止画で視覚効果が薄い。        視覚効果の高い屋外投影装置はかなりの費用がかかる。【解決手段】屋内用の市販の物を使用することにより視覚効果の高い            屋外投影装置を安価で導入、運用出来る。【選択図】図１
2005266190.tif 000002
【特許請求の範囲】
【請求項１】
市販のパソコン、液晶プロジェクターを組み合わせ自動制御により画像を屋外スクリーンに投影することを特徴とする屋外自動画像投影システム。
【請求項２】
前記組み合わせにより容易かつ安価に投影内容の変更を可能出来ることを特徴とする請求項１記載の屋外自動画像投影システム。
【発明の詳細な説明】
【技術分野】
【０００１】
この発明は、屋外広告などに用いる画像投影システムの構成に関する。
【背景技術】
【０００２】
従来の屋外広告等に用いる立て看板等は、設置後広告内容の変更は、看板業者に依頼し      行う為即時対応が難しく、費用がかかる。又、当然静止画しか無い。
従来の屋外画像投影システム等を用いた場合は画像内容の変更の即時対応は可能だが、システム設置及び保守管理等を専門業者が行う事が多い為、運用費用にかなり費用がかかる。
【発明の開示】
【発明が解決しようとする課題】
【０００３】
しかしながら、以上の技術によれば、画像投影用のスクリーン設置費用は立て看板設置費用とほぼ同じ、画像投影システムに使用するパソコン、液晶プロジェクターは市販の物を使用、設置費用は従来の画像投影システムに比べかなり安価になる。
保守管理の面では、保守を必要とする物は、全て市販の物で専門業者に依頼すること無く管理者自身で行える。
画像内容変更の面では、パソコン内部の情報変更等で行われるので、管理者自身で意図する画像へ内容変更、投影時間変更等、即時対応が出来る。
そこで、この発明は、管理者の意図する画像を容易かつ安価に投影出来る屋外自動画像投影システムを提供することを課題とする。
【課題を解決するための手段】
【０００４】
以上の課題を解決するために、第一発明は、市販のパソコン、液晶プロジェクターを組み合わせ自動制御により画像を屋外スクリーンに投影することを特徴とする屋外画像投影システムである。
また、第二発明は、容易、安価に投影内容の変更を可能出来ることを特徴とする屋外画像投影システムである。
【発明の効果】
【０００５】
第一発明、または第二発明によれば、管理者の意図する画像を容易かつ安価に屋外スクリーンへ投影でき、設置後の保守管理等も容易かつ安価に出来る。
【発明を実施するための最良の形態】
【０００６】
この発明の一実施形態を、図１に示す。
屋外自動画像投影システム本体１は、鉄製で、防水加工の施して有る一体型である。
本体１の内部にはプロジェクター室３、パソコン室４と分かれている。
プロジェクター室３の内部には、図２の様に液晶プロジェクター６、冷却ファン７を有す。
パソコン室４の内部には図３の様にパソコン８、冷却ファン９、冷却ファン駆動用の直流電源装置１０、電源制御用のカレンダータイマー１１、各々配線を接続する為の端子台１２を有す。
商用電源へ接続する為の電源プラグ５は図１の様にパソコン室４の下部よりでている。
屋外自動画像投影システム本体１により投影された画像を映し出す為の屋外スクリーン２を設置する。
電源プラグ５により供給された商用電源は液晶プロジェクター６、パソコン８、カレンダータイマー１１各々へ供給される。
カレンダータイマー１１の任意設定時刻の作動により、パソコン８の電源が投入され内部の自動投影用ソフトが起動する。自動投影用ソフトには投影開始時刻、投影終了時刻、投影画像の選択が任意で設定出来る。
カレンダータイマー１１の任意設定時刻の作動により、直流電源装置１０の電源を接続、遮断することにより、直流電源装置１０に接続された冷却ファン７、９を制御する。
パソコン８の内部で起動された自動投影用ソフトにより投影開始時刻になると液晶プロジェクター６の電源投入制御し、パソコン８より液晶プロジェクター６へ投影画像を出力する。
投影終了時刻になると、液晶プロジェクター６の電源遮断制御をし、電源遮断の確認後投影画像の出力を止め、一定時間後パソコン８の電源を自動投影用ソフトにて電源を切る。
以後、毎日自動投影を全自動で行う。
【０００７】
「実施形態の効果」
この実施形態によれば、管理者の意図する画像を容易かつ安価に多数の人々に提供することが出来る。
従来の屋外広告のシステムには、内容の変更が出来ない立て看板形式、小規模屋外投影システム、大規模屋外投影システムなどがある。
設置、導入開始時の利点は、図１の屋外スクリーン２の設置は立て看板同様任意の大きさで設置でき費用は立て看板程度、図１の本体１の設備は使用機器全てに市販の物を使用し、付帯工事につても商用電源を用意するのみである。小規模、大規模の投影システムでは機器の価格、大規模システムではさらに付帯工事として電話線、通信ケーブル等大規模な工事となりかなりの費用となってしまう。
保守方法では小規模、大規模システムでは管理会社もしくは製造メーカーで行う為かなりの出費につながるが、このシステムでは使用機器を市販の物で構成しているので管理者自身で行うことが出来る。
また、機器の故障などにより使用不能になった場合、交換機器をすぐに用意でき、復旧作業も管理者自身により迅速に行われる。
管理者の意図する画像を描くもしくは投影する場合、立て看板形式では看板業者へ希望画像を提出し、看板を張り替える等時間、費用がかかるうえ、修正ができない。
このシステムでは図１のパソコン８以外のパソコンで市販の画像編集ソフト等で作成した画像、動画などを使用する為、専門知識を用いない管理者で有っても作成が可能で有る。
投影する画像変更の容易さでも、前記で作成した画像を図１のパソコン８の内部へコピーする作業で済む。
小規模、大規模システムではこのシステムと同じ方法の場合が有るが管理会社が管理している場合が多いので画像変更するだけでも費用がかかってしまう。
【０００８】
「他の実施形態」
図１の実施形態では、液晶プロジェクター６とパソコン８等は本体１に設置されていたが、他の実施形態では、設置場所等状況により各々分割ものでも良い。
【図面の簡単な説明】
【０００９】
【図１】この発明の一実施形態を示す斜視図である。
【図２】図１のプロジェクター室３の斜視透視詳細図である。
【図３】図１のパソコン室４の斜視透視詳細図である。
【符号の説明】
【００１０】
１  屋外自動画像投影システム本体    ２  屋外スクリーン  
３  プロジェクター室                ４  パソコン室
５  電源プラグ                      ６  液晶プロジェクター
７  冷却ファン                      ８  パソコン
９  冷却ファン                    １０  直流電源装置
１１  カレンダータイマー            １２  端子台
【図１】
2005266190.tif 000003
【図２】
2005266190.tif 000004
【図３】
2005266190.tif 000005
(57)【要約】【課題】  従来、男性の小便時における洋式便器使用の際に、便器内に落ちた尿の跳ね返りである尿飛沫は、悪臭を放ち非衛生的である。対応方法として、便器外に飛び出させた尿飛沫を掃除によって拭き取る方法、マットを引いてマットに吸収する方法。あるいは、小便の際、つまり便座を上げた際に筒状の物を便器において遮断する方法があった。尿飛沫の便器外への飛び出しを遮断し、便座の上げ下げの際に取り付け取り外しの手間をなくすことを課題とする。また、尿飛沫による悪臭を減らすことを課題とする。【解決手段】  便器と便座に補助具を取り付けその補助具に遮断具を取り付ける。遮断具は補助具に容易に取り付け取り外しが可能であり、便座を上げると広がり、下げると折りたたまる。これにより、便器外に飛び出そうとする尿飛沫を遮断し、便器外への尿飛沫量を減らすことが可能である。便座の上げ下げ時に取り付け取り外しの必要もなくなる。遮断具には、付着した尿飛沫を吸収し悪臭をおさえる素材を使用し、その結果、悪臭の減少の効果がある。【選択図】  図２
2005342462.tif 000002
【特許請求の範囲】
【請求項１】
洋式便器の男性小便使用時における小便の飛沫遮断を目的としたカバー。
【請求項２】
悪臭をおさえることができる請求項１のカバー。
【請求項３】
洋式便器から取り外しができる請求項１、請求項２のカバー。
【発明の詳細な説明】
【技術分野】
【０００１】本発明は、洋式便器における、男性小便使用時の尿飛沫を遮断する道具に関する物である。
【背景技術】
【０００２】従来の洋式便器は男性が放尿する際に、便器内に飛び込んだ尿の跳ね返りである飛沫が便器から飛び出してしまい、この飛沫がトイレを汚し、臭いを発している。その飛沫の対応方法としては、掃除によって雑巾で拭き取る方法、床にマットを敷き吸い込ませる方法がある。【０００３】便器外への飛沫を遮断する方法としては、筒状の道具を乗せる方法があり、この方法では大便と小便との度に、つまり便座の上げ下げの度に取り付け取り外しの必要があった。
【発明の開示】
【発明が解決しようとする課題】
【０００４】以上に述べた従来の方法は、便器外へ飛び出してしまう尿飛沫を飛び出してから処理する方法や筒状の物をのせて尿飛沫を遮断するが大便と小便の度に、つまり便座の上げ下げの度に取り付け取り外しの必要がある方法であった。【０００５】本発明は、便器外へ飛び出す尿飛沫を遮断し、便座の上げ下げの際に取り付け取り外しの必要を無くし、尿飛沫の為の掃除の手間、悪臭の減少を目的とした道具である。
【発明を解決するための手段】
【０００６】以下図１を用いて解決するための手段を説明する。
【０００７】洋式便器１と便座２に補助具３、４を取り付ける。補助具３、４に取り付け取り外し可能な遮断具５を取り付ける。
【０００８】遮断具は、便座を上げた時に便器と便座の間に壁ができるように広がり、便座を下げた時に便器と便座の間に収まるようになる。
【０００９】遮断具は、遮断により付着した尿飛沫を吸収し悪臭を分解する素材を用いる。
【００１０】遮断具の尿飛沫の吸収許容量を超えた場合には取り外し、交換することができる。
【発明の効果】
【００１１】上述のように、便座を上げた時に、便器と便座の間に壁ができることにより、便器外に飛び出す飛沫を遮断することが可能となる。
【００１２】取り付けたまま便座を下げることが可能である。
【００１３】尿飛沫飛び出し防止面である遮断具は容易に交換することができ、掃除の手間を削減する。
【００１４】遮断具には尿飛沫を吸収し悪臭を閉じ込める素材を使うため、尿飛沫による悪臭を減らすことができる。
【発明を実施するための最良の形態】
【００１５】以下、本発明の実地の形態を図１に基づいて説明する。【００１６】図においては、１は洋式便器の便器、２は便座、３、４は遮断具５を取り付け取り外し可能とする為の補助具、５は男性が小便をした際に便器にあたって飛び出す尿飛沫を遮断する道具。【００１７】遮断具５は便座２が上がった時に広がり、下がった際には折りたたまる。補助具３，４によって、取り付け取り外しが容易である。【００１８】遮断具５は尿飛沫を吸収し悪臭をおさえる素材でできている。【００１９】以上の機能をもった遮断具並びに補助具３，４を洋式便器に取り付けることで、男性小用時における尿飛沫の便器外飛び出し量を減らし、掃除の手間、悪臭を減らす。
【図面の簡単な説明】
【００２０】
【図１】本発明の実地形態を示す正面図。
【図２】本発明の実地形態を示す側面図。
【符号の説明】
１洋式便器
２便座
３補助具
４補助具
５遮断具
６便座カバー
【図１】
2005342462.tif 000003
【図２】
2005342462.tif 000004
(57)【要約】【課題】新規かつ有用なる身体装飾品を提供する。【解決手段】適宜に装飾されたデコレーションピースに、指への装着手段および手首への装着手段を設けたことを特徴とする。【選択図】      図８
2005342467.tif 000002
【特許請求の範囲】
【請求項１】
適宜に装飾されたデコレーションピースに、指への装着手段および手首への装着手段を設けたことを特徴とする身体装飾品。
【発明の詳細な説明】
【技術分野】
【０００１】  この発明は、手の甲部分を装飾するための身体装飾品に関する。
【背景技術】
【０００２】  従来より、身体装飾品としては指輪、イヤリング、ピアス、ネックレス、ブローチ、ブレスレット、アンクレットなど種々利用されているが、本発明にて示すような手の甲部分の身体装飾品は見当たらない。
【発明の開示】
【発明が解決しようとする課題】
【０００３】  前記したように、種々の身体装飾品の中で手の甲を飾るものは未利用なのが現状である。
身体の露出部分としては手・指が目立つ部分であるが、現在あるのは指輪とブレスレットなどであり、他にない新規な身体装飾品が望まれている。
本発明は、以上のような従来からの身飾品にない新規な身飾手段として発明されたもので、手の甲を飾ることにより、手の美しさを強調することのできる有用なる身飾品を提供することを目的としたものである。
【課題を解決するための手段】
【０００４】  課題を解決する手段として本発明は、身飾部分としてのデコレーションピースに指および手首への装着手段を設けてその主要部を構成した。
すなわち、適宜に装飾されたデコレーションピースに、指への装着手段および手首への装着手段を設ける。本発明は以上の構成よりなる身体装飾品である。
【発明の効果】
【０００５】  本発明によれば、デコレーションピースに、指への装着手段としてのフィンガーピースと手首への装着手段としてのインレイピースを設けており、デコレーションピースを手の甲上面に安定位置させることができて、従来にない斬新な身飾品を提供することができる。なお、形状・サイズを変えることで足の甲への装着も可能である。
【発明を実施するための最良の形態】
【０００６】  以下、本発明の実施形態について説明する。
図において、１はフィンガーピースで、金色に着色した銅線により形成される。このフィンガーピースは上記線材を同径の螺旋コイル状に形成した指挿入部２と、この指挿入部の下部に連続する湾曲部３と、この湾曲部端を鈍角に折曲してなる直線状の嵌入部４とから形成され、各部は１本の線材を用いて一体に形成される。
５はデコレーションピースであり、フィンガーピースと同材質にて形成される。このデコレーションピースは線材を略同心円状の渦巻き形に形成してなる装飾部６と、この装飾部の外周部に位置する線材に取り付けられる上部嵌装体７および下部嵌装体８とから形成される。各嵌装体は線材と同色の薄金属板を折曲して扁平筒状とし、線材を内部に位置させて押圧固定したものである。なお、装飾部６はその中央から周囲に向かうにつれて下降する凸状に形成される。
９はインレイピースである。このインレイピースもフィンガーピースと同様の線材を用いて製作される。１０は装着部で、線材を略半円形に形成したものである。１１は装飾体で、円弧形線材の端部に楕円ループを形成したもので、長さの異なる３本が用意される。１２は嵌入材で、線材を緩やかに湾曲させた湾曲部１３と、この湾曲部端を折曲して直線部分とした嵌入部１４とから形成される。
１５は固定部で、前記嵌装体と同様構成物にて、装着部、装飾体、嵌入材の各端部をそろえ、この端部を内部に位置させて押圧固定した部分である。【０００７】  本発明を使用するには、まずフィンガーピースの嵌入部をデコレーションピースの上部嵌装体内へ挿入し、次ぎにインレイピースの嵌入部をデコレーションピースの下部嵌装体内へ挿入する。この作業により３個の各ピースが接続されて図７の状態となる。
これを手・指に取り付けるには、左手の小指の先からフィンガーピースを指の根本に向けて挿入し、インレイピースを手首の上からはめ込み、インレイピースの装着部の両端を外側から軽く押圧して手首にフィットさせる。すると図８に示すように、デコレーションピースは手の甲面に安定位置することとなり、手の装飾としての視覚的効果を発揮することができる。
嵌装体内面の上下距離は各嵌装部線径と類似のサイズであるため、各ピースはその互いの離脱を防ぐとともに、嵌装体に対する若干の回動が可能であるため、各人の手・指のサイズに対応することができる。また、フィンガーピースサイズを適宜に選択することにより、右手に取り付けることができる。すなわち、右手の人差し指にフィンガーピースを挿入して同様のスタイルとすることができる。デコレーションピースの装飾部１０は、種々の変化が可能であり、好みのデザインを用いることができる。また、宝石や宝飾品を取り付けて用いてもよい。【０００８】  なお、以上の例は線材を用いた実施の一例であり、他の形状・材質・構成を用いてもよい。例えば前記した螺旋コイル状の指挿入部以外に、単なるリング状の指挿入部や円弧形板体の指挿入部としてもよい。インレイピースも、腕時計に多用されているバンド状やあるいは鎖状のものとしてもよい。また、既述の例では３個のピースを接続して用いるものとしているが、３個の内の２個もしくは３個すべてを互いに取り外すことのない接続方式として構成してもよい。なお、各部の形状・サイズを適宜に変化させることにより、手の甲の装飾品としてだけではなく足の甲の装飾品としての利用も可能である。
以上のごとく、本発明により新規かつ斬新なる身体装飾品を得ることができる。
【図面の簡単な説明】
【０００８】
【図１】本発明のフィンガーピースの平面図
【図２】本発明のフィンガーピースの正面図
【図３】本発明のデコレーションピースの平面図
【図４】本発明のデコレーションピースの正面図
【図５】本発明のインレイピースの平面図
【図６】本発明のインレイピースの正面図
【図７】本発明の各ピースの組み合わせ固定状態説明図（平面視）
【図８】本発明の使用状態図
【図９】本発明の他例の使用状態図
【符号の説明】
【０００９】  １  フィンガーピース
２  指挿入部
３  湾曲部
４  嵌入部
５  デコレーションピース
６  装飾部
７  上部嵌装体
８  下部嵌装体
９  インレイピース
１０装着部
１１装飾体
１２嵌入材
１３湾曲部
１４嵌入部
１５固定部
【図１】
2005342467.tif 000003
【図２】
2005342467.tif 000004
【図３】
2005342467.tif 000005
【図４】
2005342467.tif 000006
【図５】
2005342467.tif 000007
【図６】
2005342467.tif 000008
【図７】
2005342467.tif 000009
【図８】
2005342467.tif 000010
【図９】
2005342467.tif 000011